【手続補正書】
【提出日】平成20年2月12日(2008.2.12)
【手続補正１】
【補正対象書類名】特許請求の範囲
【補正対象項目名】全文
【補正方法】変更
【補正の内容】
【特許請求の範囲】
【請求項１】
流体を受け取りかつ排出する装置であって、
ａ）少なくとも１つの側壁を有する第１のハウジングを備え、前記側壁が、少なくとも１つのチャンバを画定する内部面を有し、端部キャップを受ける少なくとも１つの端部キャップ当接面を有し、前記装置がさらに、
ｂ）少なくとも１つの端部キャップを備え、前記端部キャップが、少なくとも１つの第１のハウジング当接面を有し、前記第１のハウジング当接面が、前記チャンバを囲むために前記端部キャップ当接面に位置決めされ、前記装置がさらに、
ｃ）前記第１のハウジング当接面と前記端部キャップ当接面のうちの少なくとも一方の第１のシールコーティングを備え、前記第１のシールコーティングが、前記当接面に固着する変形可能なプラスチックを含み、前記装置がさらに、
ｄ）前記チャンバから流体を受け取りかつ除去する流体経路手段と、
ｅ）前記第１のシールコーティングを変形しかつ前記チャンバを封止するように、前記第１のハウジング当接面で受けた前記端部キャップ当接面が、前記第１のハウジングに向う状態で、前記端部キャップを圧縮する圧縮手段とを備える、装置。
【請求項２】
前記シールコーティングが、ポリトリフルオロエチレン（ＰＴＦＥ）、ポリエーテルエーテルケトン（ＰＥＥＫ）、ポリクロロトリフルオロエチレン（ＰＣＴＦＥ）、過フルオロアルコキシ（ＰＦＡ）、およびフッ化エチレンプロピレン（ＦＥＰ）から成る高分子コーティングの１つまたは複数から選択される、請求項１に記載の装置。
【請求項３】
前記端部キャップ当接面と前記ハウジング当接面のうち少なくとも一方が、圧縮力を前記シールコーティングに集中するリッジである、請求項１に記載の装置。
【請求項４】
前記少なくとも１つのチャンバが、弁アセンブリを含む、請求項１に記載の装置。
【請求項５】
前記ハウジングが、前記端部キャップの対向する少なくとも１つの端壁を有し、前記流体経路手段が、前記端部キャップに少なくとも１つの開口部と、前記端壁に少なくとも１つの開口部とを備える、請求項４に記載の装置。
【請求項６】
前記弁アセンブリが、球座と球とを備える、請求項５に記載の装置。
【請求項７】
前記内部壁と前記端部キャップのうちの少なくとも一方が、球座当接面を有し、前記球座が、２つのリムと流体通路とを有するシリンダを備え、前記リムのうちの少なくとも一方が、前記球と係合して流体通路を閉鎖する球受面を有し、前記リムのうち少なくとも一方が、前記球座当接面と係合して、球座と前記ハウジングおよび端部キャップのうちの少なくとも一方とを封止するリム当接面を有する、請求項６に記載の装置。
【請求項８】
前記球座当接面とリム当接面とのうち少なくとも一方が、球座シールコーティングを有する、請求項７に記載の装置。
【請求項９】
前記球座シールコーティングが、ポリトリフルオロエチレン（ＰＴＦＥ）、ポリエーテルエーテルケトン（ＰＥＥＫ）、ポリクロロトリフルオロエチレン（ＰＣＴＦＥ）、過フルオロアルコキシ（ＰＦＡ）、およびフッ化エチレンプロピレン（ＦＥＰ）から成る高分子コーティングの１つまたは複数から選択される、請求項８に記載の装置。
【請求項１０】
前記端壁が、内部面と外部面を有し、１つまたは複数の端壁開口部を有し、前記外部面が、前記１つまたは複数の端壁開口部を取り囲む端壁当接面を有する、請求項５に記載の装置。
【請求項１１】
前記端壁当接面が、端壁シールコーティングを有し、前記端壁シールコーティングが、隣接壁と封止可能に係合するように変形可能なプラスチックを含む、請求項１０に記載の装置。
【請求項１２】
前記端壁シールコーティングが、ポリトリフルオロエチレン（ＰＴＦＥ）、ポリエーテルエーテルケトン（ＰＥＥＫ）、ポリクロロトリフルオロエチレン（ＰＣＴＦＥ）、過フルオロアルコキシ（ＰＦＡ）、およびフッ化エチレンプロピレン（ＦＥＰ）から成る高分子コーティングの１つまたは複数から選択される、請求項１１に記載の装置。
【請求項１３】
前記圧縮手段が、前記端壁を受けて前記端壁シールコーティングを封止係合して圧縮する隣接壁を備える、請求項１１に記載の装置。
【請求項１４】
前記隣接壁が、流体が前記端壁開口部内に入るための隣接壁開口部を有する、請求項１３に記載の装置。
【請求項１５】
前記圧縮手段が、主ハウジングと圧縮スリーブとを備える主ハウジングアセンブリを備え、前記主ハウジングが、前記第１のハウジングを受ける第１のハウジングチャンバを有し、前記圧縮スリーブが、前記端部キャップと係合して、前記端部キャップと第１のハウジングを圧縮下に配置する、請求項１４に記載の装置。
【請求項１６】
前記主ハウジングアセンブリが、圧縮ナット手段を有し、前記圧縮ナット手段と主ハウジングが、圧縮ナット手段と主ハウジングの回転によって係合する協働ネジ山を有し、前記圧縮ナット手段が、前記圧縮スリーブと係合して、前記主ハウジングチャンバ内で前記圧縮スリーブ、端部キャップ、および第１のハウジングを圧縮する、請求項１５に記載の装置。
【請求項１７】
流体導管を接合する方法であって、装置を提供するステップを含み、前記装置が、
ａ）少なくとも１つの側壁を有する第１のハウジングを有し、前記側壁が、少なくとも１つのチャンバを画定する内部面を有し、端部キャップを受ける少なくとも１つの端部キャップ当接面を有し、前記装置がさらに、
ｂ）少なくとも１つの端部キャップを有し、前記端部キャップが、少なくとも１つの第１のハウジング当接面を有し、前記第１のハウジング当接面が、前記チャンバを囲むために前記端部キャップ当接面に位置決めされ、前記装置がさらに、
ｃ）前記第１のハウジング当接面と前記端部キャップ当接面とのうちの少なくとも一方の第１のシールコーティングを有し、前記第１のシールコーティングが、前記当接面に固着する変形可能なプラスチックを含み、前記装置がさらに、
ｄ）前記チャンバから流体を受け取りかつ除去する流体経路手段と、
ｅ）前記第１のシールコーティングを変形しかつ前記チャンバを封止するように、前記第１のハウジング当接面で受けた前記端部キャップ当接面が、前記第１のハウジングに向う状態で、前記端部キャップを圧縮する圧縮手段とを有し、前記方法がさらに、
前記受取用導管と排出用導管を、前記流体経路手段と連通するように配置するステップを含む、方法。
【請求項１８】
前記シールコーティングが、ポリトリフルオロエチレン（ＰＴＦＥ）、ポリエーテルエーテルケトン（ＰＥＥＫ）、ポリクロロトリフルオロエチレン（ＰＣＴＦＥ）、過フルオロアルコキシ（ＰＦＡ）、およびフッ化エチレンプロピレン（ＦＥＰ）から成る高分子コーティングの１つまたは複数から選択される、請求項１７に記載の方法。
【請求項１９】
前記端部キャップ当接面と前記ハウジング当接面とのうち少なくとも一方が、圧縮力を前記シールコーティングに集中するリッジである、請求項１８に記載の方法。
【請求項２０】
前記少なくとも１つのチャンバが、弁アセンブリを含む、請求項１７に記載の方法。
【請求項２１】
前記ハウジングが、前記端部キャップの対向する少なくとも１つの端壁を有し、前記流体経路手段が、前記端部キャップに少なくとも１つの開口部と、前記端壁に少なくとも１つの開口部とを備える、前記請求項２０に記載の方法。
【請求項２２】
前記逆止弁アセンブリが、球座と球とを備える、請求項２１に記載の方法。
【請求項２３】
前記内部壁と前記端部キャップとのうちの少なくとも一方が、球座当接面を有し、前記球座が、２つのリムと流体通路とを有するシリンダを備え、前記リムのうちの少なくとも一方が、前記球と係合して流体通路を閉鎖する球受面を有し、前記リムのうち少なくとも一方が、前記球座当接面と係合して、球座と前記ハウジングおよび端部キャップの少なくとも一方とを封止するリム当接面を有する、請求項２２に記載の方法。
【請求項２４】
前記球座当接面と前記リム当接面とのうち少なくとも一方が、球座シールコーティングを有する、請求項２３に記載の方法。
【請求項２５】
前記球座シールコーティングが、ポリトリフルオロエチレン（ＰＴＦＥ）、ポリエーテルエーテルケトン（ＰＥＥＫ）、ポリクロロトリフルオロエチレン（ＰＣＴＦＥ）、過フルオロアルコキシ（ＰＦＡ）、およびフッ化エチレンプロピレン（ＦＥＰ）から成る高分子コーティングの１つまたは複数から選択される、請求項２４に記載の方法。
【請求項２６】
前記端壁が、内部面と外部面とを有し、１つまたは複数の端壁開口部を有し、前記外部面が、前記１つまたは複数の端壁開口部を取り囲む端壁当接面を有する、請求項２５に記載の方法。
【請求項２７】
前記端壁当接面が、端壁シールコーティングを有し、前記端壁シールコーティングが、隣接壁と封止可能に係合するように変形可能なプラスチックを含む、請求項２６に記載の方法。
【請求項２８】
前記端壁シールコーティングが、ポリトリフルオロエチレン（ＰＴＦＥ）、ポリエーテルエーテルケトン（ＰＥＥＫ）、ポリクロロトリフルオロエチレン（ＰＣＴＦＥ）、過フルオロアルコキシ（ＰＦＡ）、およびフッ化エチレンプロピレン（ＦＥＰ）から成る高分子コーティングの１つまたは複数から選択される、請求項２７に記載の方法。
【請求項２９】
前記圧縮手段が、前記端壁を受けて前記端壁シールコーティングを封止係合して圧縮する隣接壁を備える、請求項２８に記載の方法。
【請求項３０】
前記隣接壁が、流体が前記端壁開口部内に入るための隣接壁開口部を有する、請求項２９に記載の方法。
【請求項３１】
前記圧縮手段が、主ハウジングと圧縮スリーブとを備える主ハウジングアセンブリを備え、前記主ハウジングが、前記第１のハウジングを受け取る第１のハウジングチャンバを有し、前記圧縮スリーブが、前記端部キャップと係合して、前記端部キャップと第１のハウジングとを圧縮下に配置する、請求項３０に記載の方法。
【請求項３２】
前記主ハウジングアセンブリが、圧縮ナット手段を有し、前記圧縮ナット手段と主ハウジングとが、圧縮ナット手段と主ハウジングの回転によって係合する協働ネジ山を有し、前記圧縮ナット手段が、前記圧縮スリーブと係合して、前記圧縮スリーブ、端部キャップ、および第１のハウジングを前記主ハウジングチャンバ内で圧縮する、請求項３１に記載の方法。